(57)【要約】【課題】ＩＰネットワークと光ネットワークを効率的に切り替えて使用することができる中継網切り替え方法および光エッジ装置を提供する。【解決手段】ネットワークシステムは、クライアント１と、クライアント１に接続された第１の光エッジ装置５と、サーバ２と、サーバ２に接続された第２の光エッジ装置６と、第１、第２の光エッジ装置５，６間を接続するＩＰ網３および光ネットワーク（フォトニックネットワーク）４によって構成されている。そして、第１の光エッジ装置５が、サーバ２からダウンロードされるデータのトラヒックを検出し、その量が予め設定された一定量を越えた時、通信メディアをＩＰ網３から光ネットワーク４に切り替える。【選択図】    図１
2004312153.tif 000002
【特許請求の範囲】
【請求項１】
クライアントとサーバとがＩＰネットワークおよび光ネットワークの双方を介して接続されたクライアントサーバシステムにおいて、
前記クライアントと前記サーバとの間のトラヒック量が予め設定されている一定値より大か否かを判断し、
該判断結果が一定値より大であった場合に、前記ＩＰネットワークによる通信を前記光ネットワークによる通信に切り替えることを特徴とする中継網切り替え方法。
【請求項２】
クライアントおよびサーバが、各々に対応して設けられた光エッジ装置を介してＩＰネットワークおよび光ネットワークの双方に接続されたクライアントサーバシステムにおけるクライアント側の光エッジ装置において、
前記ＩＰネットワークおよび光ネットワークを切り替える切り替え部と、
前記切り替え部を通して前記サーバからダウンロードされるデータのトラヒック量を検出するフロー監視部と、
前記フロー監視部の検出結果が一定量を越えた時、前記切り替え部をＩＰネットワークから光ネットワークに切り替える切替制御手段と、
を具備することを特徴とする光エッジ装置。
【請求項３】
前記サーバからダウンロードされたｗｗｗのページをモニタし、ページ上のリンク先やコンテンツを検出する検出手段と、
前記検出手段によって検出されたリンク先のデータやコンテンツを予め前記サーバから光ネットワークを通してダウンロードするダウンロード手段と、
をさらに設けたことを特徴とする請求項２に記載の光エッジ装置。
【請求項４】
前記クライアントがアクセスしている前記サーバのコンテンツをミラーリングするミラーリング手段をさらに設けたことを特徴とする請求項２に記載の光エッジ装置。
【請求項５】
クライアントと、
前記クライアントに接続された第１の光エッジ装置と、
サーバと、
前記サーバに接続された第２の光エッジ装置と、
前記第１、第２の光エッジ装置間を接続するＩＰネットワークおよび光ネットワークとを具備し、
前記第１の光エッジ装置が、前記サーバからダウンロードされるデータのトラヒック量が一定量を越えた時、通信メディアをＩＰネットワークから光ネットワークに切り替えることを特徴とする光ネットワークシステム。
【発明の詳細な説明】
【０００１】
【発明の属する技術分野】
この発明は、クライアントがサーバのコンテンツをダウンロードするクライアントサーバ型のネットワークに係り、特に、サーバ・クライアント間のＩＰ（Ｉｎｔｅｒｎｅｔ  Ｐｒｏｔｏｃｏｌ）ネットワークおよび光ネットワークを切り替える中継網切り替え方法および切り替えに使用される光エッジ装置に関する。
【０００２】
【従来の技術】
従来のクライアントサーバ型のネットワーク構成を図１１に示す。従来のクライアント１は、固定的に存在するサーバ２にＩＰネットワーク３を通して接続していた。この場合、サーバ２から大量のデータをダウンロードすると、転送の時間が大きくかかり、また、ネットワークのスループットを単純に上げると、転送はバースト的なため、使っていない間はリソースが無駄になる欠点があった。
なお、従来のクライアントサーバ・システムが記載された文献として、特許文献１が知られている。
【０００３】
【特許文献１】
特開平８−１６４４６号公報
【０００４】
【発明が解決しようとする課題】
本発明は上記事情を考慮してなされたもので、その目的は、ＩＰネットワークと光ネットワークを効率的に切り替えて使用することができる中継網切り替え方法および光エッジ装置を提供することにある。
【０００５】
【課題を解決するための手段】
この発明は上記の課題を解決するためになされたもので、請求項１に記載の発明は、クライアントとサーバとがＩＰネットワークおよび光ネットワークの双方を介して接続されたクライアントサーバシステムにおいて、前記クライアントと前記サーバとの間のトラヒック量が予め設定されている一定値より大か否かを判断し、該判断結果が一定値より大であった場合に、前記ＩＰネットワークによる通信を前記光ネットワークによる通信に切り替えることを特徴とする中継網切り替え方法である。
【０００６】
請求項２に記載の発明は、クライアントおよびサーバが、各々に対応して設けられた光エッジ装置を介してＩＰネットワークおよび光ネットワークの双方に接続されたクライアントサーバシステムにおけるクライアント側の光エッジ装置において、前記ＩＰネットワークおよび光ネットワークを切り替える切り替え部と、前記切り替え部を通して前記サーバからダウンロードされるデータのトラヒック量を検出するフロー監視部と、前記フロー監視部の検出結果が一定量を越えた時、前記切り替え部をＩＰネットワークから光ネットワークに切り替える切替制御手段とを具備することを特徴とする光エッジ装置である。
【０００７】
請求項３に記載の発明は、請求項２に記載の光エッジ装置において、前記サーバからダウンロードされたｗｗｗのページをモニタし、ページ上のリンク先やコンテンツを検出する検出手段と、前記検出手段によって検出されたリンク先のデータやコンテンツを予め前記サーバから光ネットワークを通してダウンロードするダウンロード手段とをさらに設けたことを特徴とする。
請求項４に記載の発明は、請求項２に記載の光エッジ装置において、前記クライアントがアクセスしている前記サーバのコンテンツをミラーリングするミラーリング手段をさらに設けたことを特徴とする。
【０００８】
請求項５に記載の発明は、クライアントと、前記クライアントに接続された第１の光エッジ装置と、サーバと、前記サーバに接続された第２の光エッジ装置と、前記第１、第２の光エッジ装置間を接続するＩＰネットワークおよび光ネットワークとを具備し、前記第１の光エッジ装置が、前記サーバからダウンロードされるデータのトラヒック量が一定量を越えた時、通信メディアをＩＰネットワークから光ネットワークに切り替えることを特徴とする光ネットワークシステムである。
【０００９】
【発明の実施の形態】
以下、図面を参照し、この発明の実施の形態について説明する。図１はこの発明の実施の形態による中継網切り替え方法を適用したネットワーク構成を示すブロック図である。本ネットワークは、クライアントサーバ型のネットワークであり、サーバ２にあるコンテンツをクライアント１がダウンロードする目的で接続している。光エッジ装置は、クライアント側にＩｎｇｒｅｓｓの光エッジ装置５、サーバ側にＥｇｒｅｓｓの光エッジ装置６があり、両光エッジ装置５，６間は、ＩＰアドレスでリーチャヤブルなＩＰ網３とフォトニックネットワーク（光ネットワーク）４により接続されている。
【００１０】
図２に第１の実施形態によるＩｎｇｒｅｓｓ側の光エッジ装置５の構成を示す。また、図３に同第１の実施形態の動作を説明するためのシーケンス図を、図４にフローチャートを示す。図２〜図４を用いて第１の実施形態の動作を説明する。
図３のシーケンス図に示したように、クライアント１は、サーバ２ヘのアクセスをＩＰ網３を経由して行ない、ダウンロード等を行なう。Ｉｎｇｒｅｓｓの光エッジ装置５では、ダウンロード時のトラヒック量が予め設定された一定量以上になった場合に（図４のステップＳ１、Ｓ２）、対向している光エッジ装置６（Ｅｇｒｅｓｓ）に対して、光パスリクエストを送り（ステップＳ３）、光エッジ装置５、６間において光パス接続を行ない、光パスを確立する（ステップＳ４）。ここで、ＩｎｇｒｅｓｓとＥｇｒｅｓｓの光エッジ装置５、６は同期して、光ネットワーク４経由に接続を変更し、ネットワークのパイプの帯域を大きくする。
【００１１】
図２の光エッジ装置５の構成を説明する。フロー監視部１１において、ダウンロードのトラヒック量が一定量以上になったことが検出されると、フロー切り替え部１２が光パス制御部１３から光エッジ装置６へリクエストを送り、同時に、切り替え部１４を光パス側へ切り替える。以後、光エッジ装置５、６間が光パス経由での接続となる。
【００１２】
図５に、サーバ側（Ｅｇｒｅｓｓ）の光エッジ装置６の構成を示す。サーバ側の光エッジ装置６において、Ｉｎｇｒｅｓｓの光エッジ装置５からリクエストを受けた制御部１７が、切り替え部１８を切り替えることにより、ＩＰ網３から光ネットワーク４への切り替えを行う。
【００１３】
次に、本発明の第２の実施形態について説明する。図６に第２の実施形態のＩｎｇｒｅｓｓ側の光エッジ装置２１の構成を示す。本実施形態では、クライアント１はｗｗｗ（ｗｏｒｌｄ  ｗｉｄｅ  ｗｅｂ）のページをダウンロードしており、制御部２３でｗｗｗのフロントページをコピーする。図７にシーケンスを、図８にフロントページの例を示す。図８の例のように、一般的にフロントページには複数のリンク先や、コンテンツのダウンロードの指示や動画のリソースをみるクリックのスイッチがある。図７にあるように、先頭ページをコピーすると同時に、光パス接続を要求するのは上述した第１の実施形態と同様である。光パス接銃後は、ユーザとは関係なく、フロントページのリンク先等から「先読み」を行なう。
【００１４】
すなわち、リンク先検出部２４がｗｗｗのフロントページからリンク先を検出し、先読みダウンロード要求部２５からサーバ２へリンクデータのリクエストを行う。そして、サーバ２から送信されたリンクデータを切り替え部２６を介してメモリ２７に格納する。例えば、動画なら事前にアクセスして動画のコンテンツをメモリ２７に格納する。ユーザが、クライアント１に表示されたフロントページをクリックすると、実際にサーバ２にアクセスすることなく、Ｉｎｇｒｅｓｓの光エッジ装置５のメモリ２７からリンクデータをダウンロードすることが可能である。そして、次のページが制御部２３に読み込まれると、そこにあるリンク先等が、リンク先検出部２４、先読みダウンロード要求部２５によって再び「先読み」される。
【００１５】
次に、本発明の第３の実施形態について説明する。図９に第３の実施形態によるＩｎｇｒｅｓｓ側の光エッジ装置３１の構成を示す。また、図１０に同シーケンスを示す。この実施形態では、光エッジ装置３１が、クライアント１がアクセスしたサーバ２のミラーサーバとなる。すなわち、サーバ２ヘのアクセスが開始されると、制御部３４がＦＴＰリクエスト回路３５からサーバ２へリクエストを行い、サーバ２のコンテンツの全部もしくは一部を光ネットワーク４、切り替え部３２を介してメモり３６にミラーリングする。このミラーリングは、ダイナミックなものであり、ユーザがアクセスをやめると、このダイナミックなキャッシュもメモリ３６から消滅する。
【００１６】
【発明の効果】
以上説明したように、この発明によれば、クライアントとサーバとの間のトラヒック量が予め設定されている一定値より大となった場合に、データパスを切り替えるようにしたので、ＩＰネットワークと光ネットワークを効率的に切り替えて使用することができる効果が得られる。また、この発明によれば、リンク先のデータやコンテンツを予めサーバから光ネットワークを通してダウンロードするダウンロード手段を儲け、あるいは、サーバのコンテンツをミラーリングするミラーリング手段を設けたので、ユーザは、高速なアクセスが行なえたり、あたかも直近にサーバがあるようなサービスを受けることができる効果がある。
【図面の簡単な説明】
【図１】この発明の実施形態による中継網切り替え方法を適用したネットワークシステムの構成を示すブロック図である。
【図２】この発明の第１の実施形態による光エッジ装置５の構成を示すブロック図である。
【図３】同実施形態の動作を説明するためのシーケンス図である。
【図４】同実施形態の動作を説明するためのフローチャートである。
【図５】図１におけるサーバ側の光エッジ装置６の構成を示すブロック図である。
【図６】この発明の第２の実施形態による光エッジ装置２１の構成を示すブロック図である。
【図７】同実施形態の動作を説明するためのシーケンス図である。
【図８】同実施形態においてサーバから送信されたｗｗｗのフロントページの一例を示す図である。
【図９】この発明の第３の実施形態による光エッジ装置３１の構成を示すブロック図である。
【図１０】同実施形態の動作を説明するためのシーケンス図である。
【図１１】従来のネットワークシステムの構成例を示す図である。
【符号の説明】
１…クライアント
２…サーバ
３…ＩＰ網
４…フォトニックネットワーク（光ネットワーク）
５、２１、３１…クライアント側光エッジ装置
６…サーバ側光エッジ装置
１１、３３…フロー監視部
１２…フロー切り替え部
１３…光パス制御部
１４、２６、３２…切り替え部
１７…制御部
１８…切り替え部
２３、３４…制御部
２４…リンク先検出部
２５…先読みダウンロード要求部
２７…メモリ
３５…ＦＴＰリクエスト回路
３６…メモリ（ダイナミックミラーサーバ）
【図１】
2004312153.tif 000003
【図２】
2004312153.tif 000004
【図３】
2004312153.tif 000005
【図４】
2004312153.tif 000006
【図５】
2004312153.tif 000007
【図６】
2004312153.tif 000008
【図７】
2004312153.tif 000009
【図８】
2004312153.tif 000010
【図９】
2004312153.tif 000011
【図１０】
2004312153.tif 000012
【図１１】
2004312153.tif 000013